(57)【要約】【課題】画像の保存容量を節約しつつ、画像利用時の利便性を向上させる。【解決手段】付帯情報を含む画像を受信する受信部（２１０）と、受信した画像を一次保存部（４００）に保存する保存制御部（２２０）と、所定の圧縮アルゴリズムに基づいて、一次保存部（４００）および二次保存部（６００）に保存された画像を圧縮する圧縮部（２３０）と、所定の複製アルゴリズムに基づいて、一次保存部（４００）から二次保存部（６００）へ画像の複製を行う複製部（２４０）と、所定の削除アルゴリズムに基づいて、一次保存部（４００）または二次保存部（６００）から画像を削除する削除部（２５０）と、所定の復元アルゴリズムに基づいて、画像の復元を行う復元部（２６０）とを備え、復元アルゴリズムは、画像に対する参照要求がない場合でも、画像が参照される必要度を予測し、二次保存部（６００）から一次保存部（４００）への復元の要否を判断する。【選択図】図３
2019179450.tif 000002
【特許請求の範囲】
【請求項１】
一次保存部と、
二次保存部と、
付帯情報を含む画像を受信する受信部と、
受信した前記画像を前記一次保存部に保存する保存制御部と、
所定の圧縮アルゴリズムに基づいて、前記一次保存部および前記二次保存部に保存された前記画像を圧縮する圧縮部と、
所定の複製アルゴリズムに基づいて、前記一次保存部から前記二次保存部へ前記画像の複製を行う複製部と、
所定の削除アルゴリズムに基づいて、前記一次保存部または前記二次保存部から前記画像を削除する削除部と、
所定の復元アルゴリズムに基づいて、前記画像の復元を行う復元部と、を備え、
前記復元アルゴリズムは、前記画像に対する参照要求がない場合であっても、前記画像が参照される必要度を予測して、前記二次保存部から前記一次保存部への復元の要否を判断するアルゴリズムである、
医療画像管理システム。
【請求項２】
前記画像が参照される必要度は、検査予約、検査受付、検査実施を含む検査の実行の可能性である、
請求項１に記載の医療画像管理システム。
【請求項３】
前記画像が参照される必要度は、前記画像が継続的に参照される可能性である、
請求項１に記載の医療画像管理システム。
【請求項４】
受信部により、付帯情報を含む画像を受信するステップと、
保存制御部により、受信した前記画像を一次保存部に保存するステップと、
圧縮部により、所定の圧縮アルゴリズムに基づいて、前記一次保存部および二次保存部に保存された前記画像を圧縮するステップと、
複製部により、所定の複製アルゴリズムに基づいて、前記一次保存部から前記二次保存部へ前記画像の複製を行うステップと、
削除部により、所定の削除アルゴリズムに基づいて、前記一次保存部または前記二次保存部から前記画像を削除するステップと、
復元部により、所定の復元アルゴリズムに基づいて、前記画像の復元を行うステップと、を備え、
前記復元アルゴリズムは、前記画像に対する参照要求がない場合であっても、前記画像が参照される必要度を予測して、前記二次保存部から前記一次保存部への復元の要否を判断するアルゴリズムである、
医療画像管理方法。
【請求項５】
医療画像管理システムに用いられるプログラムであって、前記プログラムは、コンピュータに、
付帯情報を含む画像を受信するステップ、
受信した前記画像を一次保存部に保存するステップ、
所定の圧縮アルゴリズムに基づいて、前記一次保存部および二次保存部に保存された前記画像を圧縮するステップ、
所定の複製アルゴリズムに基づいて、前記一次保存部から前記二次保存部へ前記画像の複製を行うステップ、
所定の削除アルゴリズムに基づいて、前記一次保存部または前記二次保存部から前記画像を削除するステップ、
所定の復元アルゴリズムに基づいて、前記画像の復元を行うステップ、を実行させ、
前記復元アルゴリズムは、前記画像に対する参照要求がない場合であっても、前記画像が参照される必要度を予測して、前記二次保存部から前記一次保存部への復元の要否を判断するアルゴリズムである、
医療画像管理プログラム。
【発明の詳細な説明】
【技術分野】
【０００１】
この発明は、医療画像管理システム、医療画像管理方法、および医療画像管理プログラムに関する。
【背景技術】
【０００２】
医療画像を保存して管理するシステムにおいては、人手による医療画像の書き込み作業を不要とし、記憶装置の容量不足を解消するために、例えば、特許文献１のようなシステムが開発されている。
【０００３】
特許文献１のシステムにおいては、記憶装置を短期記憶装置と長期記憶装置に分け、頻繁に利用される医療画像を短期記憶装置に保存すると共に、医療画像を長期記憶装置に適宜移動させることにより、短期記憶装置の容量不足の発生を防いでいる。また、特許文献１のシステムにおいては、医療画像表示装置等からの画像の利用要求があった場合に、その画像が短期記憶装置に保存されていなければ、長期記憶装置から短期記憶装置にその画像を移動させ、画像を復元することが開示されている。
【先行技術文献】
【特許文献】
【０００４】
【特許文献１】特許第４７９５５６４号
【発明の概要】
【発明が解決しようとする課題】
【０００５】
しかしながら、特許文献１のシステムでは、短期記憶装置における画像の復元は、医療画像表示装置等からの画像の利用要求があり、短期記憶装置にその画像が保存されていないことを条件にしている。
【０００６】
したがって、復元する画像のデータ量によっては、復元に長時間を要し、画像利用時の利便性が低下するという問題があった。
【０００７】
そこで、この発明の課題は、医療画像を保存容量の節約を行いつつ、画像利用時の利便性を向上させることのできる医療画像管理システム、医療画像管理御方法、およびプログラムを提供することにある。
【課題を解決するための手段】
【０００８】
本発明の医療画像管理システムの一態様は、上記課題を解決するため、
一次保存部と、
二次保存部と、
付帯情報を含む画像を受信する受信部と、
受信した前記画像を前記一次保存部に保存する保存制御部と、
所定の圧縮アルゴリズムに基づいて、前記一次保存部および前記二次保存部に保存された前記画像を圧縮する圧縮部と、
所定の複製アルゴリズムに基づいて、前記一次保存部から前記二次保存部へ前記画像の複製を行う複製部と、
所定の削除アルゴリズムに基づいて、前記一次保存部または前記二次保存部から前記画像を削除する削除部と、
所定の復元アルゴリズムに基づいて、前記画像の復元を行う復元部と、を備え、
前記復元アルゴリズムは、前記画像に対する参照要求がない場合であっても、前記画像が参照される必要度を予測して、前記二次保存部から前記一次保存部への復元の要否を判断するアルゴリズムである、
ことを特徴とする。
【０００９】
本態様において、「画像が参照される必要度」には、患者の来院予測に基づく必要度、画像が継続的に参照される可能性に基づく必要度が含まれる。画像が継続的に参照される可能性は、画像の最新の参照日、参照回数、カンファレンスでの活用回数、病名、医師等が必要と判断したこと等により判断することができる。
【００１０】
本態様によれば、圧縮部は、所定の圧縮アルゴリズムに基づいて、一次保存部および二次保存部に保存された画像を圧縮するので、画像保存容量の削減が図られる。複製部は、所定の複製アルゴリズムに基づいて、一次保存部から二次保存部へ画像の複製を行うので、必要時においては一次保存部に保存されている画像を削除し、あるいは、二次保存部に保存されている画像を一次保存部に復元させることが可能となり、利便性が向上する。削除部は、所定の削除アルゴリズムに基づいて、一次保存部または二次保存部から画像を削除するので、画像保存容量の削減が図られる。復元部は、所定の復元アルゴリズムに基づいて、画像の復元を行うが、この復元アルゴリズムは、画像に対する参照要求がない場合であっても、画像が参照される必要度を予測して、二次保存部から一次保存部への復元の要否を判断するアルゴリズムとなっている。したがって、画像が参照される必要度が高い場合には、画像に対する参照要求がない場合であっても二次保存部から一次保存部への復元が行われ、一次保存部において必要な画像を事前に用意しておくことが可能となり、医療画像の保存容量の節約を行いつつ、画像利用時の利便性を向上させることができる。
【００１１】
一実施形態の医療画像管理システムは、
前記画像が参照される必要度は、検査予約、検査受付、検査実施を含む検査の実行の可能性に基づく必要度である、
ことを特徴とする。
【００１２】
この一実施形態の医療画像管理システムによれば、検査予約、検査受付、検査実施を含む検査の実行の可能性が高い場合には、復元アルゴリズムにおいて、画像が参照される必要度が高いと予測され、画像に対する参照要求がない場合であっても、復元が実行される。また、検査予約、検査受付、検査実施を含む検査の実行の可能性が低い場合には、復元アルゴリズムにおいて、画像が参照される必要度が低いと予測され、復元は実行されない。その結果、医療画像の保存容量の節約を行いつつ、画像利用時の利便性を向上させることができる。
【００１３】
一実施形態の医療画像管理システムは、
前記画像が参照される必要度は、前記画像が継続的に参照される可能性に基づく必要度である、
ことを特徴とする。
【００１４】
この一実施形態の医療画像管理システムによれば、画像が継続的に参照される可能性が高い場合、例えば、画像の最新の参照日、参照回数、カンファレンスでの活用回数、病名、医師等が必要と判断したことに基づいて、画像が継続的に参照される可能性が高い場合には、復元アルゴリズムにおいて、画像が参照される必要度が高いと予測される。その結果、画像に対する参照要求がない場合であっても、復元が実行される。また、画像が継続的に参照される可能性が高い場合には、復元アルゴリズムにおいて、画像が参照される必要度が低いと予測され、復元は実行されない。したがって、医療画像の保存容量の節約を行いつつ、画像利用時の利便性を向上させることができる。
【００１５】
本発明の医療画像管理方法の一態様は、上記課題を解決するため、
受信部により、付帯情報を含む画像を受信するステップと、
保存制御部により、受信した前記画像を一次保存部に保存するステップと、
圧縮部により、所定の圧縮アルゴリズムに基づいて、前記一次保存部および二次保存部に保存された前記画像を圧縮するステップと、
複製部により、所定の複製アルゴリズムに基づいて、前記一次保存部から前記二次保存部へ前記画像の複製を行うステップと、
削除部により、所定の削除アルゴリズムに基づいて、前記一次保存部または前記二次保存部から前記画像を削除するステップと、
復元部により、所定の復元アルゴリズムに基づいて、前記画像の復元を行うステップと、を備え、
前記復元アルゴリズムは、前記画像に対する参照要求がない場合であっても、前記画像が参照される必要度を予測して、前記二次保存部から前記一次保存部への復元の要否を判断するアルゴリズムである、
ことを特徴とする。
【００１６】
本態様によれば、画像が参照される必要度が高い場合には、画像に対する参照要求がない場合であっても二次保存部から一次保存部への復元が行われ、一次保存部において必要な画像を事前に用意しておくことが可能となり、医療画像の保存容量の節約を行いつつ、画像利用時の利便性を向上させることができる。
【００１７】
本発明の医療画像管理プログラムの一態様は、上記課題を解決するため、
医療画像管理システムに用いられるプログラムであって、前記プログラムは、コンピュータに、
付帯情報を含む画像を受信するステップ、
受信した前記画像を一次保存部に保存するステップ、
所定の圧縮アルゴリズムに基づいて、前記一次保存部および二次保存部に保存された前記画像を圧縮するステップ、
所定の複製アルゴリズムに基づいて、前記一次保存部から前記二次保存部へ前記画像の複製を行うステップ、
所定の削除アルゴリズムに基づいて、前記一次保存部または前記二次保存部から前記画像を削除するステップ、
所定の復元アルゴリズムに基づいて、前記画像の復元を行うステップ、を実行させ、
前記復元アルゴリズムは、前記画像に対する参照要求がない場合であっても、前記画像が参照される必要度を予測して、前記二次保存部から前記一次保存部への復元の要否を判断するアルゴリズムである、
ことを特徴とする。
【００１８】
本態様によれば、画像が参照される必要度が高い場合には、画像に対する参照要求がない場合であっても二次保存部から一次保存部への復元が行われ、一次保存部において必要な画像を事前に用意しておくことが可能となり、医療画像の保存容量の節約を行いつつ、画像利用時の利便性を向上させることができる。
【発明の効果】
【００１９】
以上より明らかなように、本発明の医療画像管理装置、医療画像管理方法、および医療画像管理プログラムによれば、医療画像の保存容量の節約を行いつつ、画像利用時の利便性を向上させることができる。
【図面の簡単な説明】
【００２０】
【図１】一実施形態における医療画像管理システムを示すブロック図である。
【図２】医療画像管理サーバの構成を示す機能ブロック図である。
【図３】医療画像管理システムの処理を示すフローチャートですある。
【図４】圧縮アルゴリズムを説明するための図である。
【図５】複製アルゴリズムを説明するための図である。
【図６】削除アルゴリズムを説明するための図である。
【図７】復元アルゴリズムを説明するための図である。
【発明を実施するための形態】
【００２１】
以下、この発明の実施の形態を、図面を参照しながら詳細に説明する。
【００２２】
（医療画像管理システムの概要）
図１は、本実施形態における医療画像管理システム１の概要を示すブロック図である。図１に示すように、本実施形態の医療画像管理システム１は、医療画像撮影装置１００、医療画像管理サーバ２００、医療画像表示装置３００、一次保存装置４００、院内情報サーバ５００、および二次保存装置６００を有する。
【００２３】
医療画像撮影装置１００、医療画像管理サーバ２００、医療画像表示装置３００、一次保存装置４００、院内情報サーバ５００、および二次保存装置６００は、例えば、病院内に構築されたＬＡＮ（Ｌｏｃａｌ  Ａｒｅａ  Ｎｅｔｗｏｒｋ）等のネットワークＮに接続されている。
【００２４】
医療画像撮影装置１００は、例えばＣＴ（Computed Tomography）、ＭＲ（Magnetic Resonance）、ＣＲ（Computed Radiography）、および（Digital Radiography）等の撮影装置であり、撮影により、患者の医療画像データを生成する。医療画像データは、標準規格ＤＩＣＯＭ（Digital Imaging & Communication in Medical）に基づくデータ形式で生成される。医療画像データには、画像データの他、患者情報等の付帯情報が含まれる。以下の説明では、このような「医療画像データ」を「画像」と称する。
【００２５】
医療画像管理サーバ２００は、医療画像撮影装置１００、医療画像表示装置３００、一次保存装置４００、院内情報サーバ５００、および二次保存装置６００と通信可能となっている。医療画像管理サーバ２００は、一次保存装置４００および二次保存装置６００に保存される画像の管理を行う。
【００２６】
医療画像表示装置３００は、例えば画像診断装置であり、医者が診断時などに、画像を見たい場合に、医療画像表示装置３００を操作し、一次保存装置４００から所望の画像を読み出して医療画像表示装置３００に転送し、医療画像表示装置３００に表示させる。
【００２７】
一次保存部としての一次保存装置４００、および二次保存部としての二次保存装置６００は、例えば、ＨＤＤ（Ｈａｒｄ  Ｄｉｓｋ  Ｄｒｉｖｅ）から構成される。医療画像撮影装置１００において生成された画像は、医療画像管理サーバ２００に送信され、医療画像管理サーバ２００は、一次保存装置４００に保存する。また、一次保存装置４００に保存された画像は、所定のアルゴリズムに基づいて、適宜、圧縮、削除、および復元され、二次保存装置６００において複製される。
【００２８】
一次保存装置４００は、医療画像表示装置３００等から参照される必要度の高い画像を保存する記憶領域として機能する。二次保存装置６００は、一次保存装置４００に比べて保存容量が大きく、医療画像表示装置３００等から参照される必要度が高くない画像を長期的に保存する記憶領域として機能する。
【００２９】
院内情報サーバ５００は、患者の検査の受付日時、検査実施日時、検査予約日時、病名、住所等の情報を管理するサーバであり、少なくとも医療画像管理サーバ２００と通信可能となっている。患者の検査の受付日時、検査実施日時、検査予約日時、病名、住所等の情報は、院内情報サーバ５００がアクセス可能なデータベースＤＢに格納されている。
【００３０】
図２は、医療画像管理サーバ２００の構成を示す機能ブロック図である。図２に示すように、医療画像管理サーバ２００は、受信部２１０、保存制御部２２０、圧縮部２３０、複製部２４０，削除部２５０、復元部２６０、及び通信処理部２７０を備える。なお、本発明のプログラムは、図示を省略する記憶部に格納される。
【００３１】
受信部２１０は、付帯情報を含む画像を、医療画像撮影装置１００から受信する。保存制御部２２０は、受信した画像を一次保存装置４００に保存する。圧縮部２３０は、所定の圧縮アルゴリズムに基づいて、一次保存装置４００および二次保存装置６００に保存された画像を圧縮する。複製部２４０は、所定の複製アルゴリズムに基づいて、一次保存装置４００に保存された画像を二次保存装置６００に複製する。削除部２５０は、所定の削除アルゴリズムに基づいて、一次保存装置４００または二次保存装置６００から画像を削除する。復元部２６０は、所定の復元アルゴリズムに基づいて、画像の復元を行う。復元アルゴリズムは、記画像が参照される必要度を予測して、画像に対する参照要求がない場合であっても、二次保存装置６００から一次保存装置４００への復元の要否を判断結果として出力する。
【００３２】
次に、本実施形態における医療画像管理サーバ２００の処理について図３から図７を参照しつつ説明する。図３は、本実施形態における医療画像管理サーバ２００の処理のフローチャートである。なお、図３に示す処理は、所定時間ごとに実行されるものとする。
【００３３】
図３に示すように、受信部２１０が、医療画像撮影装置１００から画像を受信すると（Ｓ１０）、保存制御部２２０は、受信した画像を一次保存装置４００に保存する（Ｓ２０）。圧縮部２３０、複製部２４０，削除部２５０、および復元部２６０は、それぞれのアルゴリズムにしたがって処理の実施を判断し、それぞれのアルゴリズムの判断結果の出力に基づいて処理を実施する（Ｓ３０）。圧縮部２３０は、圧縮アルゴリズム（Ｓ３１）の判断結果の出力に基づいて処理を実施する（Ｓ３５）。複製部２４０は、複製アルゴリズム（Ｓ３１）の判断結果の出力に基づいて処理を実施する（Ｓ３５）。削除部２５０は、削除アルゴリズム（Ｓ３３）の判断結果の出力に基づいて処理を実施する（Ｓ３５）。復元部２６０は、復元アルゴリズム（Ｓ３４）の判断結果の出力に基づいて処理を実施する（Ｓ３５）。
【００３４】
圧縮部２３０、複製部２４０，削除部２５０、および復元部２６０による処理の実施は、上述した各アルゴリズムにしたがって、一次保存装置４００、または二次保存装置６００、もしくは、一次保存装置４００および二次保存装置６００に対して行われる（Ｓ４０）。
【００３５】
次に、各アルゴリズムについて図４から図７を参照しつつ説明する。図４は、圧縮アルゴリズムのフローチャートである。図５は、複製アルゴリズムのフローチャートである。図６は、削除アルゴリズムのフローチャートである。図７は、復元アルゴリズムのフローチャートである。
【００３６】
（圧縮アルゴリズム）
本実施形態の圧縮アルゴリズムは、図４に示すように、画像の保存場所、必要保存期間、画像の種類、複製の保存場所をパラメータとして入力する（Ｓ３１０）。次に、入力したパラメータに基づいて、圧縮形式を判断結果として出力する（Ｓ３１１）。例えば、画像の保存場所と必要保存期間をパラメータとして入力した場合には、一次保存装置４００に保存された期間が５年間を経過していない画像に関しては、圧縮アルゴリズムは、判断結果として可逆の圧縮形式を出力する。この場合には、圧縮部２３０は、一次保存装置４００に保存された画像を可逆の圧縮形式で圧縮する。
【００３７】
また、二次保存装置６００に保存された期間が５年間を経過した画像に関しては、圧縮アルゴリズムは、判断結果として非可逆の圧縮形式を出力する。この場合には、圧縮部２３０は、二次保存装置６００に保存された画像を非可逆の圧縮形式で圧縮する。非可逆の圧縮形式で圧縮することにより、可逆の圧縮形式で圧縮する場合に比べて、二次保存装置６００の保存容量を節約することができる。なお、一次保存装置４００および二次保存装置６００における画像の保存期間は、医療画像管理サーバ２００において管理される。
【００３８】
（複製アルゴリズム）
本実施形態の複製アルゴリズムは、図５に示すように、一次保存装置４００および二次保存装置６００における画像の有無をパラメータとして入力する（Ｓ３２０）。次に、入力されたパラメータに基づいて、画像の複製を行うかどうかの判断結果を出力する（Ｓ３２１）。例えば、複製アルゴリズムは、画像が二次保存装置６００に存在せず、一次保存装置４００に存在する場合には、画像を即座に一次保存装置４００から二次保存装置６００に複製するという判断結果を出力する。この場合には、複製部２４０は、一次保存装置４００に保存されている画像を二次保存装置６００に複製する。
【００３９】
（削除アルゴリズム）
本実施形態の削除アルゴリズムは、図６に示すように、画像の現在の保存場所、複製の保存場所、必要保存期間、同一画像の保存日時をパラメータとして入力する（Ｓ３３０）。次に、入力したパラメータに基づいて、削除するか否かを判断結果として出力する（Ｓ３３１）。ここで、「同一画像」とは、圧縮の形式を問わずに元データが同一の画像のことである。
【００４０】
例えば、削除アルゴリズムは、一次保存装置４００に存在する画像の複製が二次保存装置６００に存在し、保存期間が５年を経過している画像に関しては、一次保存装置４００から削除するという判断結果を出力する。削除アルゴリズムは、もう少し条件を軽くし、二次保存装置６００に複製が存在した場合に、一次保存装置４００の画像を削除するという判断結果を出力するようにしてもよい。
【００４１】
（復元アルゴリズム）
本実施形態の復元アルゴリズムは、図７に示すように、検査の受付日時、検査実施日時、検査予約日時、病名、住所、復元範囲をパラメータとして入力する（Ｓ３４０）。次に、入力したパラメータに基づいて、画像が参照される必要度を予測し、復元するかどうかを判断結果として出力する（Ｓ３４１）。例えば、復元アルゴリズムは、復元アルゴリズムを実行した当日に、検査の受付日時が該当する場合、この受付日時の患者に関する画像に関しては、画像が参照される必要度が高いと予測し、二次保存装置６００から一次保存装置４００へ画像を復元範囲に従い復元するという判断結果を出力する。この場合の受付日時は、検査実施日、検査予約日等と置き換えてもよいし、これらの入力パラメータを適宜組合せてもよい。また、復元範囲の例としては、最新受付日より過去１年分の検査に関係する画像等とすることができる。このような復元アルゴリズムにより、実際に画像が参照される前に、一次保存装置４００へ画像を復元することができるので、利便性を向上させることができる。
【００４２】
またもう少し複雑なものとして、復元アルゴリズムは、過去の受付日時、病名、住所をパラメータとして入力し、画像が参照される必要度を予測して、復元するかどうかを判断結果として出力するようにしてもよい。例えば、ある患者の病名から継続的通院が必要であり、住所から病院までの距離が２０ｋｍ以内であれば、復元アルゴリズムは、患者が来院するものとみなし、前回、前々回の受付日時から次回来院日時を予測する。そして、画像が参照される必要度が高いと予測して、その患者の次回来院日時までに該当する画像を二次保存装置６００から一次保存装置４００へ過去１０年分等、復元するという判断結果を出力するようにしてもよい。このような復元アルゴリズムにより、復元する画像のデータ量が非常に大きい場合でも、実際に画像が参照される前に、一次保存装置４００へ画像を復元することができる。その結果、実際に画像が参照される際には、即座に画像を参照することができ、利便性を向上させることができる。
【００４３】
また、復元アルゴリズムは、画像が参照される必要度が高いと予測した場合に復元を行うという判断結果を出力するので、画像保存容量の節約にも寄与する。
【００４４】
（第２実施形態）
次に、本発明の第２実施形態について説明する。本実施形態における復元アルゴリズムは、それぞれの入力パラメータに重み付けを行い、総合的に判断結果を出力するアルゴリズムである。それぞれの入力パラメータに重み付け（重要度）を与え、重要なパラメータが入力された場合は、確実に適正な判断結果を出力する。
【００４５】
複製アルゴリズム、圧縮アルゴリズム、削除アルゴリズムは、第１実施形態のアルゴリズムでも十分利便性があるが、復元アルゴリズムについては、詳細に分析する必要があるため、本実施形態の復元アルゴリズムを適用することが好ましい。
【００４６】
本実施形態の復元アルゴリズムは、重み付けを考慮した評価値が一定以上になった場合に、該当する画像を復元するという判断結果を出力する。例えば、過去の受付日時、病名、住所、勤務先住所を入力パラメータとした場合には、以下のような重み付けが考えられる。
【００４７】
病名を入力パラメータとした場合には、病名でも慢性的な治療が必要な病名であって、継続的な通院をようする病名には重み付けを重くする。住所（または勤務先住所）を入力パラメータとした場合、病院までの距離が近い住所（または勤務先住所）については、重荷付けを重くする。過去の受付時間を入力パラメータとした場合、過去の受付時間から次回通院する日時が近いものは、重荷付けを重くする。
【００４８】
以上のように、それぞれの入力パラメータの重み付けを総合的に判断し、重荷付けの結果がある一定以上重くなった場合には、来院を予測し、該当する画像が参照される必要度が高いと予測して、二次保存装置６００から一次保存装置４００への復元を行うという判断結果を出力することができる。
【００４９】
重み付けの概念は、以上のような来院予測だけはなく、画像を継続して参照する必要となる程度を評価値として活用する方法も有効である。この場合には、削除アルゴリズムに重み付けの概念を導入する。
【００５０】
例えば、その画像の最新の参照日、参照回数、カンファレンスでの活用回数、病名を入力パラメータとして、医師等が必要と判断し、継続的に参照される可能性が高いと判断された場合については、参照する必要度についての重み付けを大きくする。そして、重み付けの値がある一定の評価値以上になった場合には、削除しないという判断結果を出力する削除アルゴリズムを用いる。この場合には、該当する画像が既に一次保存装置４００から削除済みである場合には、該当する画像を一次保存装置４００へ復元するという判断結果を出力する復元アルゴリズムを用いる。
【００５１】
（第３実施形態）
次に、本発明の第３実施形態について説明する。本実施形態においては、それぞれの入力パラメータに基づく判断を機械学習により学習させる。
【００５２】
複製アルゴリズム、圧縮アルゴリズム、削除アルゴリズムは第１実施形態でも十分利便性があるが、復元アルゴリズムは入力パラメータを詳細に分析する必要があるため、本実施形態の復元アルゴリズムが有効である。
【００５３】
判断のエンジンを機械学習、ＡＩ、ディープラーニングなどの方法で学習させ、あらゆる入力パラメータのデータパターンに対応する出力パターンを学習させることで、より複雑な来院予測、画像参照要求等の画像が参照される必要度の評価を行うことで、二次保存装置６００から一次保存装置４００へ復元することを実現することができる。
【００５４】
上述した各実施形態において説明した各アルゴリズムは、起動するタイミングを各アルゴリズムにおいて設定することができる。具体的には、画像受信のタイミング、定期、定時、任意、要求を受けた時等のタイミングで起動することができる。また、運用に応じた特殊なタイミングで起動するも可能である。
【００５５】
なお、上述した各実施形態では各アルゴリズムの判断の単位は画像単位で判断することにしている。その場合に処理対象となる量や範囲を制御するには、入力パラメータに処理対象の量や範囲の条件を入れることで、各アルゴリズムの処理対象を量や範囲により絞ることも可能である。例えば、ＣＲ検査の最新の検査日より過去１年分、あるいは最大３ＧＢ等の範囲により絞ることが可能である。
【００５６】
また、判断の単位は画像単位だけでなく、検査単位、患者単位、設定で定めた範囲の単位など大きい単位で判断することも可能である。その場合、複数の画像に対しての判断を１度に出力する必要があるため、判断結果としての出力は、複数の画像に対して、それぞれの画像に対応する処理の要否、処理方法となる。
【００５７】
（変形例）
上述した実施形態では、医療画像管理サーバ２００と一次保存装置４００とを別体の装置とした態様について説明したが、本発明はこのような態様に限定される訳ではなく、医療画像管理サーバ２００と一次保存装置４００とを一体としてもよい。
【００５８】
また、各装置の通信のための接続形態は、上述した実施形態の態様に限定される訳ではなく、必要なデータのやり取りが可能であれば、どのような接続形態であってもよい。
【００５９】
以上の実施形態は例示であり、この発明の範囲から離れることなく様々な変形が可能である。上述した複数の実施の形態は、それぞれ単独で成立し得るものであるが、実施の形態同士の組みあわせも可能である。また、異なる実施の形態の中の種々の特徴も、それぞれ単独で成立し得るものであるが、異なる実施の形態の中の特徴同士の組みあわせも可能である。
【符号の説明】
【００６０】
１      医療画像管理システム
２１０  受信部
２２０  保存制御部
２３０  圧縮部
２４０  複製部
２５０  削除部
２６０  復元部
４００  一次保存装置（一次保存部）
６００  二次保存装置（二次保存部）
【図１】
2019179450.tif 000003
【図２】
2019179450.tif 000004
【図３】
2019179450.tif 000005
【図４】
2019179450.tif 000006
【図５】
2019179450.tif 000007
【図６】
2019179450.tif 000008
【図７】
2019179450.tif 000009
【手続補正書】
【提出日】平成30年9月27日(2018.9.27)
【手続補正１】
【補正対象書類名】特許請求の範囲
【補正対象項目名】全文
【補正方法】変更
【補正の内容】
【特許請求の範囲】
【請求項１】
一次保存部と、
二次保存部と、
付帯情報を含む画像を受信する受信部と、
受信した前記画像を前記一次保存部に保存する保存制御部と、
所定の圧縮アルゴリズムに基づいて、前記一次保存部および前記二次保存部に保存された前記画像を圧縮する圧縮部と、
所定の複製アルゴリズムに基づいて、前記一次保存部から前記二次保存部へ前記画像の複製を行う複製部と、
所定の削除アルゴリズムに基づいて、前記一次保存部または前記二次保存部から前記画像を削除する削除部と、
所定の復元アルゴリズムに基づいて、前記画像の復元を行う復元部と、を備え、
前記復元アルゴリズムは、前記画像に対する参照要求がない場合であっても、前記画像が参照される必要度を予測して、前記二次保存部から前記一次保存部への復元の要否を判断するアルゴリズムであり、
前記削除アルゴリズムは、前記復元アルゴリズムが前記復元の要否を判断する際に用いる前記必要度の予測により、前記画像を削除の要否を判断するアルゴリズムである、
医療画像管理システム。
【請求項２】
前記画像が参照される必要度は、検査予約、検査受付、検査実施を含む検査の実行の可能性である、
請求項１に記載の医療画像管理システム。
【請求項３】
前記画像が参照される必要度は、前記画像が継続的に参照される可能性である、
請求項１に記載の医療画像管理システム。
【請求項４】
受信部により、付帯情報を含む画像を受信するステップと、
保存制御部により、受信した前記画像を一次保存部に保存するステップと、
圧縮部により、所定の圧縮アルゴリズムに基づいて、前記一次保存部および二次保存部に保存された前記画像を圧縮するステップと、
複製部により、所定の複製アルゴリズムに基づいて、前記一次保存部から前記二次保存部へ前記画像の複製を行うステップと、
削除部により、所定の削除アルゴリズムに基づいて、前記一次保存部または前記二次保存部から前記画像を削除するステップと、
復元部により、所定の復元アルゴリズムに基づいて、前記画像の復元を行うステップと、を備え、
前記復元アルゴリズムは、前記画像に対する参照要求がない場合であっても、前記画像が参照される必要度を予測して、前記二次保存部から前記一次保存部への復元の要否を判断するアルゴリズムであり、
前記削除アルゴリズムは、前記復元アルゴリズムが前記復元の要否を判断する際に用いる前記必要度の予測により、前記画像を削除の要否を判断するアルゴリズムである、
医療画像管理方法。
【請求項５】
医療画像管理システムに用いられるプログラムであって、前記プログラムは、コンピュータに、
付帯情報を含む画像を受信するステップ、
受信した前記画像を一次保存部に保存するステップ、
所定の圧縮アルゴリズムに基づいて、前記一次保存部および二次保存部に保存された前記画像を圧縮するステップ、
所定の複製アルゴリズムに基づいて、前記一次保存部から前記二次保存部へ前記画像の複製を行うステップ、
所定の削除アルゴリズムに基づいて、前記一次保存部または前記二次保存部から前記画像を削除するステップ、
所定の復元アルゴリズムに基づいて、前記画像の復元を行うステップ、を実行させ、
前記復元アルゴリズムは、前記画像に対する参照要求がない場合であっても、前記画像が参照される必要度を予測して、前記二次保存部から前記一次保存部への復元の要否を判断するアルゴリズムであり、
前記削除アルゴリズムは、前記復元アルゴリズムが前記復元の要否を判断する際に用いる前記必要度の予測により、前記画像を削除の要否を判断するアルゴリズムである、
医療画像管理プログラム。
【手続補正２】
【補正対象書類名】明細書
【補正対象項目名】００４７
【補正方法】変更
【補正の内容】
【００４７】
病名を入力パラメータとした場合には、病名でも慢性的な治療が必要な病名であって、継続的な通院をようする病名には重み付けを重くする。住所（または勤務先住所）を入力パラメータとした場合、病院までの距離が近い住所（または勤務先住所）については、重み付けを重くする。過去の受付時間を入力パラメータとした場合、過去の受付時間から次回通院する日時が近いものは、重み付けを重くする。
【手続補正３】
【補正対象書類名】明細書
【補正対象項目名】００４８
【補正方法】変更
【補正の内容】
【００４８】
以上のように、それぞれの入力パラメータの重み付けを総合的に判断し、重み付けの結果がある一定以上重くなった場合には、来院を予測し、該当する画像が参照される必要度が高いと予測して、二次保存装置６００から一次保存装置４００への復元を行うという判断結果を出力することができる。
【手続補正書】
【提出日】平成31年1月16日(2019.1.16)
【手続補正１】
【補正対象書類名】特許請求の範囲
【補正対象項目名】全文
【補正方法】変更
【補正の内容】
【特許請求の範囲】
【請求項１】
一次保存部と、
二次保存部と、
付帯情報を含む画像を受信する受信部と、
受信した前記画像を前記一次保存部に保存する保存制御部と、
所定の圧縮アルゴリズムに基づいて、前記一次保存部および前記二次保存部に保存された前記画像を圧縮する圧縮部と、
所定の複製アルゴリズムに基づいて、前記一次保存部から前記二次保存部へ前記画像の複製を行う複製部と、
所定の削除アルゴリズムに基づいて、前記一次保存部または前記二次保存部から前記画像を削除する削除部と、
所定の復元アルゴリズムに基づいて、前記画像の復元を行う復元部と、を備え、
前記復元アルゴリズムは、前記画像に対する参照要求がない場合であっても、前記画像が参照される必要度を予測して、前記二次保存部から前記一次保存部への復元の要否を判断するアルゴリズムであり、
前記削除アルゴリズムは、前記復元アルゴリズムが前記復元の要否を判断する際に用いる前記必要度の予測により、前記画像の削除の要否を判断するアルゴリズムであり、
前記復元アルゴリズムは、前記削除アルゴリズムにより削除不要と判断された画像が既に前記一次保存部から削除済みである場合には、当該画像の復元が必要と判断する、
医療画像管理システム。
【請求項２】
前記画像が参照される必要度の予測は、検査予約、検査受付、検査実施を含む検査の実行の可能性に基づいて行われる、
請求項１に記載の医療画像管理システム。
【請求項３】
前記画像が参照される必要度の予測は、前記画像が継続的に参照される可能性に基づいて行われる、
請求項１に記載の医療画像管理システム。
【請求項４】
受信部により、付帯情報を含む画像を受信するステップと、
保存制御部により、受信した前記画像を一次保存部に保存するステップと、
圧縮部により、所定の圧縮アルゴリズムに基づいて、前記一次保存部および二次保存部に保存された前記画像を圧縮するステップと、
複製部により、所定の複製アルゴリズムに基づいて、前記一次保存部から前記二次保存部へ前記画像の複製を行うステップと、
削除部により、所定の削除アルゴリズムに基づいて、前記一次保存部または前記二次保存部から前記画像を削除するステップと、
復元部により、所定の復元アルゴリズムに基づいて、前記画像の復元を行うステップと、を備え、
前記復元アルゴリズムは、前記画像に対する参照要求がない場合であっても、前記画像が参照される必要度を予測して、前記二次保存部から前記一次保存部への復元の要否を判断するアルゴリズムであり、
前記削除アルゴリズムは、前記復元アルゴリズムが前記復元の要否を判断する際に用いる前記必要度の予測により、前記画像の削除の要否を判断するアルゴリズムであり、
前記復元アルゴリズムは、前記削除アルゴリズムにより削除不要と判断された画像が既に前記一次保存部から削除済みである場合には、当該画像の復元が必要と判断する、
医療画像管理方法。
【請求項５】
医療画像管理システムに用いられるプログラムであって、前記プログラムは、コンピュータに、
付帯情報を含む画像を受信するステップ、
受信した前記画像を一次保存部に保存するステップ、
所定の圧縮アルゴリズムに基づいて、前記一次保存部および二次保存部に保存された前記画像を圧縮するステップ、
所定の複製アルゴリズムに基づいて、前記一次保存部から前記二次保存部へ前記画像の複製を行うステップ、
所定の削除アルゴリズムに基づいて、前記一次保存部または前記二次保存部から前記画像を削除するステップ、
所定の復元アルゴリズムに基づいて、前記画像の復元を行うステップ、を実行させ、
前記復元アルゴリズムは、前記画像に対する参照要求がない場合であっても、前記画像が参照される必要度を予測して、前記二次保存部から前記一次保存部への復元の要否を判断するアルゴリズムであり、
前記削除アルゴリズムは、前記復元アルゴリズムが前記復元の要否を判断する際に用いる前記必要度の予測により、前記画像の削除の要否を判断するアルゴリズムであり、
前記復元アルゴリズムは、前記削除アルゴリズムにより削除不要と判断された画像が既に前記一次保存部から削除済みである場合には、当該画像の復元が必要と判断する、
医療画像管理プログラム。